(57)【要約】【課題】簡単な構成で、画像劣化やファン等による騒音の発生がなく、感光体、転写ローラまたは搬送ローラ等の被回転体が高温になることを抑制する画像形成装置を提供する。【解決手段】感光体の静電潜像を現像する現像部と、感光体に形成されたトナー像を用紙に転写する転写部と、用紙を転写部に搬送する搬送路と、トナー像の形成された用紙を加熱及び加圧する定着部と、現像部、転写部、搬送路または定着部に設けられ、回転して画像形成または用紙の搬送を行う被回転体体６０と、この被回転体６０を回転させる回転軸６１とを備えた画像形成装置において、回転部軸６１に熱放射塗料を施す。【選択図】図２
2009198623.tif 000002
【特許請求の範囲】
【請求項１】
感光体の静電潜像を現像する現像部と、前記感光体に形成されたトナー像を用紙に転写する転写部と、用紙を前記転写部に搬送する搬送部と、前記トナー像の形成された用紙を加熱及び加圧する定着部と、前記現像部、前記転写部、前記搬送部または前記定着部に設けられ、回転して画像形成または用紙の搬送を行う被回転体と、前記被回転体を回転させる回転部材とを備えた画像形成装置において、
前記回転部材に熱放射塗料を施したことを特徴とする画像形成装置。
【請求項２】
前記回転部材は、被回転体を保持する回転軸を備えて、前記熱放射塗料は、前記回転軸の端部に施されたことを特徴とする請求項１に記載の画像形成装置。
【請求項３】
前記回転軸の端部には放熱部材を備えて、前記熱放射塗料は、前記回転軸の端部と前記放熱部材とに施されたことを特徴とする請求項２に記載の画像形成装置。
【請求項４】
前記放熱部材は、前記回転軸の周面に形成されたフィンであることを特徴とする請求項３に記載の画像形成装置。
【請求項５】
前記放熱部材は、前記回転軸の周面に螺旋状に形成されたフィンであることを特徴とする請求項４に記載の画像形成装置。
【請求項６】
前記放熱部材は、前記回転軸の周面に周方向に並べて形成されたフィンであることを特徴とする請求項４に記載の画像形成装置。
【発明の詳細な説明】
【技術分野】
【０００１】
本発明は、電子写真方式を利用した複写機、プリンタ、ファクシミリ、それらの複合機等の画像形成装置に関するものである。
【背景技術】
【０００２】
従来から、用紙上に画像を形成する方法としてインクジェット方式では、複数個のノズルを有するインクジェット記録ヘッドを転写ドラムに向けて配置して、インクジェット記録ヘッドによって転写ドラムにインク像を書き込み、用紙を転写ドラムに当接させ、用紙の背後から転写ローラによって用紙を転写ドラムに押圧することによって、用紙上にインク像を転写している。ここで、転写ドラム内部にヒータを設けて、転写ドラムを高温に保ち、転写ドラム上のインク像から用紙への転写に先立って、インク像から溶媒分を除去するように構成されている。
【０００３】
しかしながら、インクジェット記録ヘッドは転写ドラムと対峙してその近傍に配置され、転写ドラムの温度の影響を受ける。この近傍に配置されたインクジェット記録ヘッドのノズル部でインクが高粘度化、さらに固化して、ノズル部からインク滴が吐出できなくなり動作不良に至るという不都合があった。
【０００４】
そこで、特許文献１では、転写ドラムの周面層をシリコーンゴムなどの耐熱性ゴムを積層したもので構成して、このシリコーンゴムに黒色の顔料を練り込むことにより、転写ドラム周面に黒色の放熱面を形成し、転写ドラムが高温に加熱されても、非加熱時は速やかに放熱し温度低下するようにしている。
【０００５】
しかしながら、上述した従来技術では、転写ドラムの周面を黒色に形成するために、転写ドラムに顔料を練り込んでいるので、転写ドラムから用紙にインク像を転写する転写効率が低下して、用紙への転写像が劣化するという不都合があった。
【０００６】
また、特許文献２では、電子写真方式において、現像器から感光体にトナーを供給して、感光体の静電潜像からトナー像を形成し、このトナー像を用紙に転写して、転写したトナー像を用紙に定着させている。現像器内では、撹拌スクリューによるトナーの撹拌や、撹拌スクリューと現像ローラの摺動部等において熱が発生して、感光体に供給するトナーが温度上昇する。このトナーの温度上昇を抑制するために、現像器と、装置外の空気を取り込むファンとをチューブで連結して、ファンから取り込んだ空気が現像器の外面に沿って流れるようにして、現像器を冷却している。
【０００７】
しかしながら、上述した従来技術では、装置にファンを取り付け、ファンと現像器をチューブで連結しているので、装置が複雑な構成になり、またファンの駆動音が騒音になるという不都合があった。
【０００８】
【特許文献１】特開平６−１６６１７７号公報（段落［００１５］−［００１７］、図１）
【特許文献２】特開２００７−４１５６２号公報公報（段落［００２６］〜［００２９］、図３）
【発明の開示】
【発明が解決しようとする課題】
【０００９】
本発明は、上記のような課題を解決するためになされたものであり、簡単な構成で、画像劣化やファン等による騒音の発生がなく、感光体、転写ローラまたは搬送ローラ等の被回転体が高温になることを抑制する画像形成装置を提供することを目的とする。
【課題を解決するための手段】
【００１０】
上記目的を達成するために本発明は、感光体の静電潜像を現像する現像部と、前記感光体に形成されたトナー像を用紙に転写する転写部と、用紙を前記転写部に搬送する搬送部と、前記トナー像の形成された用紙を加熱及び加圧する定着部と、前記現像部、前記転写部、前記搬送部または前記定着部に設けられ、回転して画像形成または用紙の搬送を行う被回転体と、前記被回転体を回転させる回転部材とを備えた画像形成装置において、
前記回転部材に熱放射塗料を施したことを特徴としている。
【００１１】
この構成によれば、現像部及び転写部では画像形成時に発生する熱によって、画像形成を行う被回転体が高温になる。また、転写部でトナー像を用紙に転写する時、また定着部でトナー像を用紙に定着させる時に発生する熱によって用紙が加熱されると、この用紙から熱が搬送部の被回転体に伝導される。これらの被回転体の熱が被回転体から熱放射塗料を施した回転部材に伝導して、被回転体の温度が低下する。
【００１２】
また、請求項２に記載の発明では、前記回転部材は、被回転体を保持する回転軸を備えて、前記熱放射塗料は、前記回転軸の端部に施されたことを特徴としている。この構成によれば、回転軸が回転すると、回転軸の熱は、回転軸周面から発散し、回転軸の回転力によって、回転軸と同方向に回転する回転流となり、さらに回転軸の遠心力によって、軸の放射方向に向かう放射流となり、その風に沿って被回転体の熱が伝導して、熱放射塗料を施した回転軸の端部から放熱される。
【００１３】
また、請求項３に記載の発明では、前記回転軸の端部には放熱部材を備えて、前記熱放射塗料は、前記回転軸の端部と前記放熱部材とに施されたことを特徴としている。この構成によれば、回転軸の端部に設けた放射部材によって、回転軸の端部から放熱する効率が向上する。
【００１４】
また、請求項４に記載の発明では、前記放熱部材は、前記回転軸の周面に形成されたフィンであることを特徴としている。この構成によれば、回転軸が回転すると、フィンによって回転軸の周囲に風の流れが発生し、その風の流れとともに被回転体の熱が伝導して、熱放射塗料を施した回転軸の端部から放熱される。
【００１５】
また、請求項５に記載の発明では、前記放熱部材は、前記回転軸の周面に螺旋状に形成されたフィンであることを特徴としている。この構成によれば、回転軸が回転すると、フィンの螺旋形状によって回転軸の周囲で軸方向に沿った風の流れが発生し、その風の流れとともに被回転体の熱が伝導して、熱放射塗料を施した回転軸の端部から放熱される。
【００１６】
また、請求項６に記載の発明では、前記放熱部材は、前記回転軸の周面に周方向に並べて形成されたフィンであることを特徴としている。この構成によれば、回転軸が回転すると、回転軸の周囲には、回転するフィンによって回転軸の周方向に向く風の流れが発生し、その風の流れとともに被回転体の熱が伝導して、熱放射塗料を施した回転軸の端部から放熱される。
【発明の効果】
【００１７】
請求項１に記載の発明によれば、現像部及び転写部では画像形成時に発生する熱によって、画像形成を行う被回転体が高温になる。また、転写部でトナー像を用紙に転写する時、また定着部でトナー像を用紙に定着させる時に発生する熱によって用紙が加熱されると、この用紙から熱が搬送部の被回転体に伝導される。これらの被回転体の熱が被回転体から熱放射塗料を施した回転部材に伝導して、被回転体の温度が低下する。これによって、ファン等の部材を設けることなく、簡単な構成で、騒音の発生や画像の劣化がなく、感光体や現像ローラ等を備えた現像部、転写ローラ等を備えた転写部、また搬送ローラ等を備えた搬送部の被回転体が高温になることを抑制することができる。
【００１８】
また、請求項２に記載の発明によれば、回転軸が回転すると、回転軸の熱は、回転軸周面から発散し、回転軸の回転力によって、回転軸と同方向に回転する回転流となり、さらに回転軸の遠心力によって、放射方向に向かう放射流となり、その風に沿って被回転体の熱が伝導して、熱放射塗料を施した回転軸の端部から放熱されるので、被回転体が高温になることを抑制することができる。
【００１９】
また、請求項３に記載の発明によれば、回転軸の端部に設けた放射部材によって、回転軸の端部から放熱する効率が向上して、被回転体が高温になることを一層抑制することができる。
【００２０】
また、請求項４に記載の発明によれば、回転軸が回転すると、フィンによって回転軸の周囲に風の流れが発生し、その風の流れとともに被回転体の熱が伝導して、熱放射塗料を施した回転軸の端部から放熱されるので、被回転体が高温になることを抑制することができる。
【００２１】
また、請求項５に記載の発明によれば、回転軸が回転すると、フィンの螺旋形状によって回転軸の周囲で軸方向に沿った風の流れが発生し、その風の流れとともに被回転体の熱が伝導して、熱放射塗料を施した回転軸の端部から放熱されるので、被回転体が高温になることを抑制することができる。
【００２２】
また、請求項６に記載の発明によれば、回転軸が回転すると、回転軸の周囲には、回転するフィンによって回転軸の周方向に向く風の流れが発生し、その風の流れとともに被回転体の熱が伝導して、熱放射塗料を施した回転軸の端部から放熱されるので、被回転体が高温になることを抑制することができる。
【発明を実施するための最良の形態】
【００２３】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００２４】
（第１実施形態）
図１は、本発明の実施形態に係る画像形成装置の内部構成を概略的に示す断面正面図である。画像形成装置１はタンデム型のカラープリンタであり、回転自在である感光体１１ａ〜１１ｄは、感光層を形成する感光材料として、有機感光体（ＯＰＣ感光体）が用いられ、ブラック（Ｂ）、イエロー（Ｙ）、シアン（Ｃ）及びマゼンタ（Ｍ）の各色に対応させて配される。感光層はアモルファスシリコンでもよい。各感光体１１ａ〜１１ｄの周囲に、現像部２ａ〜２ｄ、露光ユニット１２、帯電器１３ａ〜１３ｄ及び除電器１４ａ〜１４ｄが配設される。
【００２５】
現像部２ａ〜２ｄは、感光体１１ａ〜１１ｄにトナーを供給するものであり、感光体１１ａ〜１１ｄの右斜め下方に対向して配置される。現像部２ａ〜２ｄには、現像ローラ、磁気ローラ、撹拌ローラが設けられる。撹拌ローラによって撹拌された現像剤は、磁気ローラの回転により、磁気ブラシとして、現像ローラに向けて搬送され、現像ローラに接触すると、磁気ブラシのトナーのみが現像ローラに供給される。現像ローラに現像バイアスが印加されると、回転する現像ローラ上に供給されたトナーが感光体１１ａ〜１１ｄに飛翔して、感光体１１ａ〜１１ｄ上の潜像が現像される。
【００２６】
帯電器１３ａ〜１３ｄは、現像部２ａ〜２ｄの感光体回転方向上流側であって感光体１１ａ〜１１ｄの表面に対向して配置され、現像に先立って、感光体１１ａ〜１１ｄ表面を一様に帯電させ、また、除電器１４ａ〜１４ｄは、現像部２ａ〜２ｄの感光体回転方向下流側であって感光体１１ａ〜１１ｄの表面に対向して配置され、感光体１１ａ〜１１ｄ表面に現像後に残った電荷を除電する。
【００２７】
露光ユニット１２は、パーソナルコンピュータ等から画像入力部（図略）に入力された文字や絵柄などの画像データに基づいて、各感光体１１ａ〜１１ｄを走査露光するためのものであり、現像部２ａ〜２ｄの下方で帯電器１３ａ〜１３ｄの感光体回転方向下流側に設けられる。露光ユニット１２には、レーザ光源、ポリゴンミラーが設けられ、各感光体１１ａ〜１１ｄに対応して反射ミラー及びレンズが設けられる。レーザ光源から出射されたレーザ光が、ポリゴンミラー、反射ミラー及びレンズを介して各感光体１１ａ〜１１ｄの表面に照射され、照射されたレーザ光により、各感光体１１ａ〜１１ｄ表面には静電潜像が形成される。この静電潜像が各現像部２ａ〜２ｄによりトナー像に現像される。
【００２８】
中間転写ベルト１７は、テンションローラ６、駆動ローラ２５及び従動ローラ２７に張架されている。この中間転写ベルト１７に接触するように各感光体１１ａ〜１１ｄが中間転写ベルト１７の下方で搬送方向（図１の矢印方向）に沿って上流側から隣り合うように対向して配列されている。各１次転写ローラ２６ａ〜２６ｄは、中間転写ベルト１７を挟んで各感光体１１ａ〜１１ｄと対向して中間転写ベルト１７に接触するよう配置され、図１における上下方向に移動可能であって、必要に応じて中間転写ベルト１７を介して各感光体１１ａ〜１１ｄに圧接して１次転写ニップ部を形成し、また離間する。この１次転写ニップ部において、各感光体１１ａ〜１１ｄで形成されたトナー像が中間転写ベルト１７表面に転写される。そして、中間転写ベルト１７の回転とともに所定のタイミングで各感光体１１ａ〜１１ｄのトナー像が中間転写ベルト１７に順次転写されることにより、中間転写ベルト１７表面にはシアン、マゼンタ、イエロー、ブラックの４色のトナー像が重ね合わされたフルカラートナー像が形成される。ベルトクリーニング３１が転写後に中間転写ベルト１７に残存するトナーを清掃する。
【００２９】
２次転写ローラ３４は、中間転写ベルト１７を挟んで駆動ローラ２５と対向し、中間転写ベルト１７に圧接して２次転写ニップ部を形成して、この２次転写ニップ部において、中間転写ベルト１７表面のトナー像を用紙Ｐに転写する。
【００３０】
画像形成装置１内の下方には、用紙Ｐを収納する給紙カセット３２が配設され、画像形成装置１の中間部には、手差しの用紙を供給するスタックトレイ３５が配設される。画像形成装置１の左部には、給紙カセット３２から繰り出された用紙Ｐを中間転写ベルト１７で形成される２次転写ニップ部に搬送する第１搬送路３３が配設され、図２の右部から左部にかけては、スタックトレイ３５から繰り出された用紙を２次転写ニップ部に搬送する第２搬送路３６が配設される。また、画像形成装置１の左上部には、画像が形成された用紙Ｐに対して定着処理を行う定着部１８と、定着処理の行われた用紙Ｐを用紙排出部３７に搬送する第３搬送路３９とが配設される。定着部１８よりも用紙搬送方向下流側における第３搬送路３９の途中から第１搬送路３３の途中をつなぎ、用紙の裏面にもトナー像が２次転写可能であるように用紙を搬送する反転搬送路４０が配設される。
【００３１】
給紙カセット３２は、装置の外部（図１において手前側）に引き出すことにより用紙の補充を可能にしたもので、収納されている用紙Ｐがピックアップローラ３３ｂ及び捌きローラ３３ａにより１枚ずつ第１搬送路３３側に繰り出される。
【００３２】
第１搬送路３３と第２搬送路３６とはレジストローラ３３ｃの手前で合流しており、レジストローラ３３ｃにより、中間転写ベルト１７における画像形成動作と給紙動作とのタイミングを取って、用紙Ｐが２次転写ニップ部に搬送される。２次転写ニップ部に搬送された用紙Ｐは、バイアス電位（トナーの帯電極性と逆極性）が印加された２次転写ローラ３４によって、中間転写ベルト１７上のフルカラーのトナー像を２次転写されて、定着部１８に搬送される。
【００３３】
定着部１８は、ヒータにより加熱される定着ベルトと、定着ベルトに圧接して配設された加圧ローラ等とを備え、トナー像が転写された用紙Ｐを加熱及び加圧することにより定着処理を行う。用紙Ｐは、定着部１８で定着された後、必要に応じて反転搬送路４０で反転されて用紙の裏面にも２次転写ローラ３４でフルカラーのトナー像が２次転写され、定着部１８で定着されて、第３搬送路３９を通って、排出ローラ１９ａにより用紙排出部３７に排出される。
【００３４】
図２（ａ）は、本発明の第１実施形態に係る感光体１１ａを示す斜視図であり、図２（ｂ）は、図２（ａ）を矢印Ａから見た図である。他の感光体１１ｂ〜１１ｄも同じ構成であるので、感光体１１ａを代表させて説明する。
【００３５】
図２（ａ）に示すように、感光体１１ａは、被回転体として感光体ドラム６０と、感光体ドラム６０の内周で３箇のフランジ６０ａで感光体ドラム６０を保持する回転軸６１とを備える。
【００３６】
感光体ドラム６０はアルミニウム製の円筒形ドラムであり、その周面には感光層が積層される。図２（ａ）の矢印方向Ｓに感光体ドラム６０が回転すると、帯電部１３ａ（図１参照）により、感光体ドラム６０周面が帯電させられ、そして、露光ユニット１２（図１参照）からのレーザビームによって、その周面に潜像が形成されて、現像部２ａ（図１参照）からトナーが供給されると、潜像が現像される。
【００３７】
回転軸６１は、その軸方向の中央部で感光体ドラム６０を保持し、装置本体に回転可能に軸止され、モータ等の駆動手段（図略）によって回転させられる。また、回転軸６１の両端部６１ａの周面及び端面には、図２（ａ）のハッチングで示す熱放射塗料６３が塗装されている。
【００３８】
熱放射塗料６３は、シリコン樹脂、ポリアミドイミド樹脂、またはアルキド樹脂にセラミックスと金属酸化物を混合したものを用いることができるが、本実施形態では、シリコン樹脂にセラミックスと金属酸化物を混合した熱放射塗料を用い、この熱放射塗料６３をエアースプレー塗装により両端部６１ａに塗装している。この塗装を施すことによって、画像形成時に感光体ドラム６０に発生した熱が、フランジ６０ａ、回転軸６１に伝導していき、両端部６１ａから放熱される。
【００３９】
図２（ｂ）に示すように、回転軸６１が回転しているときには、回転軸６１の熱は、回転軸６１周面から発散し、回転軸６１の回転力によって、回転軸６１と同方向に回転する回転流Ｈとなり、さらに回転軸６１の遠心力によって、放射方向に向かう放射流Ｒとなり、回転軸６１の全周から放熱され、熱放射塗料とともに両端部６１ａから一層良好に放熱される。
【００４０】
（第２実施形態）
図３（ａ）は、本発明の第２実施形態に係る放熱部材を設けた回転軸の要部を示す斜視図であり、図３（ｂ）は、図３（ａ）を矢印Ａから見た図である。図３（ａ）、図３（ｂ）では、図２（ａ）における回転軸６１の左側の端部６１ａを示しているが、図２（ａ）の右側の端部６１ａにも放熱部材が設けられている。尚、第１実施形態と異なる、放熱部材について説明し、以降、第１実施形態と同じ部分の説明を省略する。
【００４１】
回転軸６１の端部６１ａには、放熱部材としての複数の放熱板６４が互いに平行に、かつ回転軸６１の軸方向に対して傾斜（傾斜角αは略８５度）して設けられ、図３（ｂ）に示すように、この傾斜によって、回転軸６１が回転すると、回転軸６１の周囲には回転軸６１の端面側に向かう風の流れＷが発生する。複数の放熱板６４には、端部６１ａとともに熱放射塗料が施されている。
【００４２】
図３（ｂ）に示すように、回転軸６１が回転しているときには、第２実施形態と同様に、回転軸６１の熱は、回転軸６１周面から発散し、回転軸６１の回転力によって、回転軸６１と同方向に回転する回転流となり、さらに回転軸６１の遠心力によって、放射方向に向かう放射流となり、回転軸６１の全周から放熱される。回転軸６１全周から放熱された熱は、回転する放熱板６４の発生させる風の流れＷに沿って、回転軸６１の端面に向かって流れる。
【００４３】
また、放熱板６４は、銅、アルミニウム、ステンレス等の熱伝導率の大きい金属を、表面積を大きくするように半円形の板状に形成されるので、感光体ドラム６０から回転軸６１に伝導された熱が、端部６１ａとともに放熱板６４から放熱される。
【００４４】
（第３実施形態）
図４は、本発明の第３実施形態に係る放熱部材を設けた回転軸の要部を示す斜視図である。図４では、図２における回転軸６１の左側の端部６１ａを示しているが、図２の右側の端部６１ａにも放熱部材が設けられている。
【００４５】
回転軸６１の端部６１ａ周面には、放熱部材としてのフィン６５が設けられ、熱放射塗料が端部６１ａとフィン６５に施されている。フィン６５は、銅、アルミニウム、ステンレス等の熱伝導率の大きい金属を、端部６１ａ周面に螺旋の板状に形成されている。感光体ドラム６０から回転軸６１に伝導された熱が、端部６１ａとともにフィン６５から放熱され、さらに、回転軸６１が回転しているときには、フィン６５の螺旋形状によって回転軸６１の周面で回りながら軸方向に向かう風の流れが発生し、感光体ドラム６０から回転軸６１に伝導された熱が、その風に沿って端部６１ａから放熱される。
【００４６】
（第４実施形態）
図５（ａ）は、本発明の第４実施形態に係る放熱部材を設けた回転軸の要部を示す斜視図であり、図５（ｂ）は、図５（ａ）を矢印Ａから見た図である。図５（ａ）、図５（ｂ）では、図２（ａ）における回転軸６１の左側の端部６１ａを示しているが、図２（ａ）の右側の端部６１ａにも放熱部材が設けられている。
【００４７】
回転軸６１の端部６１ａ周面には、放熱部材としてのフィン６６が設けられ、熱放射塗料が端部６１ａとフィン６６に施されている。フィン６６は、銅、アルミニウム、ステンレス等の熱伝導率の大きい金属からなり、回転軸６１の周面に周方向に４個の矩形板を等角度に配設されている。感光体ドラム６０から回転軸６１に伝導された熱が、端部６１ａとともにフィン６６から放熱される。
【００４８】
図５（ｂ）に示すように、回転軸６１が回転しているときには、第２実施形態と同様に、回転軸６１の熱は、回転軸６１周面から発散し、回転軸６１の回転力によって、回転軸６１と同方向に回転する回転流となり、さらに回転軸６１の遠心力によって、放射方向に向かう放射流となり、回転軸６１の全周から放熱される。回転軸６１全周から放熱された熱は、回転するフィン６６の発生させる風の流れＷに沿って、回転軸６１の周方向に流れる。
【００４９】
尚、上記第１〜第４実施形態では、被回転体としての感光体ドラム６０を回転させる回転軸６１に熱放射塗料を塗布した構成を示したが、本発明はこれに限らず、現像ローラ、１次転写ローラ２６ａ〜２６ｄ、２次転写ローラ３４等の画像形成に関わる被回転体を回転させる回転軸に、第１〜第４実施形態の如く熱放射塗料を塗布しても、上記同様の効果を奏する。
【００５０】
また、上記第１〜第４実施形態では、被回転体としての感光体ドラム６０を回転させる回転軸６１に熱放射塗料を塗布した構成を示したが、本発明はこれに限らず、定着部１８の直近の用紙搬送下流側に配置される搬送ローラの回転軸に熱放射塗料を塗布してもよい。この場合には、定着後に高温になった用紙Ｐが上記の搬送ローラを通過することによって、用紙Ｐの熱が搬送ローラから回転軸に伝導され、回転軸から放熱されて、定着後の用紙Ｐの温度を低下させることができて、反転搬送路４０で反転させて用紙Ｐの裏面にも２次転写するときに、安定したトナー像が用紙Ｐに形成される。
【００５１】
また、上記第１〜第４実施形態では、画像形成装置としてタンデム型のカラープリンタに適用した例を示したが、本発明はこれに限らず、モノクロプリンタ、モノクロ型複写機において、感光体ドラム、現像ローラ、用紙搬送ローラ等の被回転体を回転させる回転軸に、第１〜第４実施形態の如く熱放射塗料を塗布しても、上記同様の効果を奏する。
【産業上の利用可能性】
【００５２】
本発明は、電子写真方式を利用した複写機、プリンタ、ファクシミリ、それらの複合機等の画像形成装置に利用することができる。
【図面の簡単な説明】
【００５３】
【図１】は、本発明の第１実施形態に係る画像形成装置の概略の構成を示す断面正面図である。
【図２】は、本発明の第１実施形態に係る感光体を示す図である。
【図３】は、本発明の第２実施形態に係る放熱部材を示す図である。
【図４】は、本発明の第３実施形態に係る放熱部材を示す斜視図である。
【図５】は、本発明の第４実施形態に係る放熱部材を示す図である。
【符号の説明】
【００５４】
１    画像形成装置
２ａ〜２ｄ    現像部
１１ａ〜１１ｄ    感光体
１７    中間転写ベルト
１８    定着部
６０    感光体ドラム（被回転体）
６１    回転軸
６１ａ    端部
６３    熱放射塗料
６４    放熱板（放熱部材）
６５、６６    フィン（放熱部材）
Ｐ    用紙
【図１】
2009198623.tif 000003
【図２】
2009198623.tif 000004
【図３】
2009198623.tif 000005
【図４】
2009198623.tif 000006
【図５】
2009198623.tif 000007